(57)【要約】【課題】  プラットホームにおける風力を利用して発電しその電力を駅舎に供給するようにした駅舎における給電システムを提供すること。【解決手段】  強風にさらされ易いプラットホーム１２において、複数の看板２０によりプラットホーム１２上での風を弱めることができる。看板２０に当たった風は看板２０の傾斜面２００２、２００４により風力発電機３０に効率良く導かれてプロペラを回転させ、また、看板２０の上方領域、下方領域を通過する風も風力発電機３０のプロペラを回転させる。これにより風力発電機３０により電気エネルギが生成され、電気エネルギが看板用照明装置４４、駅舎用照明装置４６、券売機４８などへ供給され、あるいは、蓄電池６０へ供給され蓄電される。また、プロペラ型の風力発電機３０では、プロペラの回転軌跡上において眺望が確保されるので、開放された雰囲気を確保できる。【選択図】        図２
2005054718.tif 000002
【特許請求の範囲】
【請求項１】
軌道を挟んでプラットホームに対向する箇所にプラットホームの延在方向に並べて立設される複数の看板を備える駅舎において、
前記看板よりも上方の領域に、多数のプロペラ型の風力発電機をそのプロペラの軸心をプラットホームの延在方向と直交する方向に向けて配置し、
多数のプロペラ型の風力発電機により生じた電力を、前記駅舎に設けられる電気式の各種の機器や設備に供給するようにした、
ことを特徴とする駅舎における給電システム。
【請求項２】
前記看板が前記プラットホームに対向する面とは反対側の面に、側方からの風を看板の上縁側に導く斜め上向きの傾斜面が設けられていることを特徴とする請求項１記載の駅舎における給電システム。
【請求項３】
前記看板が前記プラットホームに対向する面とは反対側の面で下部を除く箇所全域に、側方からの風を看板の上縁側に導く斜め上向きの傾斜面が設けられ、前記反対側の面で下部全域に、側方からの風を看板の下縁側に導く斜め下向きの傾斜面が設けられ、前記看板よりも下方の領域に、プロペラ型の風力発電機がそのプロペラの軸心をプラットホームの延在方向と直交する方向に向けて配置され、これらのプロペラ型の風力発電機により発生された電力も前記駅舎に設けられる電気式の各種の機器や設備に供給されることを特徴とする請求項１記載の駅舎における給電システム。
【請求項４】
前記看板が前記プラットホームに対向する面の上縁に、前記プラットホーム側に水平に突出する整流板が前記上縁の延在方向に沿って延在していることを特徴とする請求項１記載の駅舎における給電システム。
【請求項５】
前記プラットホームの上方の箇所で、対向する前記看板の上縁とほぼ同じ高さの箇所に、プロペラ型の風力発電機からの風をプラットホームの斜め上方に又は水平方向に逃がす整流板が設けられていることを特徴とする請求項１記載の駅舎における給電システム。
【請求項６】
前記看板の上縁は、前記プラットホームの屋根よりも低くかつ前記プラットホームに立つ人の背の高さとほぼ同じかあるいは人の背の高さよりも大きい高さで形成されていることを特徴とする請求項１記載の駅舎における給電システム。
【発明の詳細な説明】
【技術分野】
【０００１】
本発明は駅舎における給電システムに関する。
【背景技術】
【０００２】
都市部では、プラットホームは軌道と共に高架に建設されており、プラットホームを含んだ駅舎および周辺の建物は高層化しており、プラットホームは強風にさらされ易いことから、プラットホーム上の防風対策は近年重要性を帯びて来ている。
一方、プラットホームでは、軌道を挟んで該プラットホームに対向する箇所に、軌道の延在方向に並べて複数の看板が立設されている。
このような看板は、プラットホームに対向した広い面積を有しているため、高架に建設されたプラットホームにおいては、広告宣伝機能に加え、風速を減速させる防風機能も発揮している。
【０００３】
一方、地球環境保全の観点から、各種の自然エネルギを用いて電力を発生させ、このような電力を積極的に利用すべきである。
そして、プラットホームは強風にさらされ易いことから、駅舎ではプラットホームにおける風エネルギを積極的に利用すべきである。
【発明の開示】
【発明が解決しようとする課題】
【０００４】
本発明は高架に建設され強風かにさらされるプラットホームに着目して案出されたものであって、本発明の目的は、プラットホームにおける風力を利用して発電しその電力を駅舎に供給するようにした駅舎における給電システムを提供することにある。
【課題を解決するための手段】
【０００５】
前記目的を達成するため本発明は、軌道を挟んでプラットホームに対向する箇所にプラットホームの延在方向に並べて立設される複数の看板を備える駅舎において、前記看板よりも上方の領域に、多数のプロペラ型の風力発電機をそのプロペラの軸心をプラットホームの延在方向と直交する方向に向けて配置し、多数のプロペラ型の風力発電機により生じた電力を、前記駅舎に設けられる電気式の各種の機器や設備に供給するようにしたことを特徴とする。
【発明の効果】
【０００６】
本発明では、防風部材としても機能する看板に当たった風、および、看板の上方領域を通過する風を利用し、プロペラ型の風力発電機により電気エネルギを生成し、駅舎において電力を必要とする各種の機器や設備にその電気エネルギが供給される。
本発明で用いるプロペラ型の風力発電機は、風力を弱める防風機能が発揮されることは無論のこと、プロペラの回転軌跡上において眺望が確保されているので、看板の上方領域の眺望が確保され、プラットホームの周りに開放された雰囲気を醸し出すことができる。
すなわち、高架に建設されたプラットホームは強風にさらされ易いが、本発明では、その強風を利用して電気エネルギを生成し、駅舎で使用するようにした。
【発明を実施するための最良の形態】
【０００７】
プラットホームの延在方向に並べて立設される複数の看板よりも上方の領域に、多数のプロペラ型の風力発電機をそのプロペラの軸心をプラットホームの延在方向と直交する方向に向けて配置することで前記の目的を達成した。
【実施例１】
【０００８】
図１はプラットホーム部分の側面図、図２はプラットホーム部分の正面図、図３は風力発電機と制御装置などとの関係図を示す。
駅舎１０のプラットホーム１２は、軌道１４と共に高架に建設され、プラットホーム１２には屋根１６が設けられ、軌道１４は軌道面１８上に設けられている。
軌道１４を挟んでプラットホーム１２に対向する箇所に、軌道１４の延在方向に並べて複数の看板２０が立設されている。看板２０は、例えば、プラットホーム１２が一つの場合には、プラットホーム１２の幅方向の両側にそれぞれ設けられ、プラットホーム１２が複数の場合には、両側に位置するプラットホーム１２の外側箇所や隣り合うプラットホーム１２の間の箇所に設けられている。
看板２０は、電源が供給されることでその広告内容が照らし出される照明式のものである。
本実施例の駅舎の給電システムは、プラットホーム１２上を通る風や看板２０に当たる風も利用して電気エネルギを作り出すものであり、プロペラ型の風力発電機３０、制御装置５０、蓄電池６０などを備えている。
【０００９】
看板２０の上縁（高さ）は、プラットホーム１２の屋根１６よりも低くかつプラットホーム１２に立つ人の背の高さとほぼ同じかあるいは人の背の高さよりも大きい高さで形成されている。
看板２０の上方領域で屋根１６とほぼ同じ高さまでの領域全域にわたり、多数のプロペラ型の風力発電機３０がそのプロペラの軸心をプラットホーム１２の延在方向と直交する方向に向けて縦横に整然と並べられて配置されている。
また、看板２０よりも下方の領域にも、プロペラ型の風力発電機３０がそのプロペラの軸心をプラットホームの延在方向と直交する方向に向けて配置されている。
なお、看板２０がプラットホーム１２に対向する面とは反対側の面で下部を除く箇所全域に、側方からの風を看板２０の上縁側に導く斜め上向きの傾斜面２００２が設けられると共に、前記反対側の面で下部全域にも、側方からの風を看板２０の下縁側に導く斜め下向きの傾斜面２００４が設けられ、看板２０に当たった風がプロペラ型の風力発電機３０に効率良く導かれるように構成されている。
また、本実施の形態では、プラットホーム１２の長さ方向の両端の外側に対応した箇所では、看板２０は設けられておらず多数のプロペラ型の風力発電機３０のみが縦横に並べて配置された領域が設けられている。
また、看板２０相互の間隔が開いている場合には、それらの箇所にも、多数のプロペラ型の風力発電機３０が縦横に並べて配置されている。
【００１０】
看板２０がプラットホーム１２に対向する面の上縁には、プラットホーム１２側に水平に突出する整流板４０が上縁の全長にわたって延在している。
また、プラットホーム１２の幅方向側部の上方の箇所で、看板２０の上縁とほぼ同じ高さの箇所に、風力発電機３０からの風をプラットホーム１２の斜め上方に又は水平方向に逃がす整流板４２が設けられている。
【００１１】
駅舎１０には、電気式の各種の機器や設備（電力を必要とする各種の機器や設備）が設けられている。このような機器、設備として、例えば、図３に示すように、看板２０に付設された看板用照明装置４４や、駅舎の各所に設置された駅舎用照明装置４６、券売機４８などが挙げられる。
プロペラ型の風力発電機３０は、プロペラが風によって回転される際に生じる回転エネルギを電気エネルギに変換して出力するものである。
蓄電池６０は、風力発電機３０で発電された電気エネルギを蓄えるとともに、蓄えた電気エネルギを出力するものである。
看板用照明装置４４は、電気エネルギが供給されることにより光を発生して看板２０を照明するものであり、例えば電灯、蛍光灯、ＬＥＤ、有機ＥＬパネルなどで構成される。
【００１２】
制御装置５０は、風力発電機３０で発電された電気エネルギを看板用照明装置４４、駅舎用照明装置４６、券売機４８などへ供給するために必要な制御と、風力発電機３０で発電された電気エネルギを蓄電池６０へ供給するために必要な制御と、蓄電池６０の電気エネルギを看板用照明装置４４、駅舎用照明装置４６、券売機４８などへ供給するために必要な制御とを司るものである。
なお、制御装置５０は、風力発電機３０で発電された電気エネルギおよび蓄電池６０の電気エネルギのうち、看板用照明装置４４で消費される電気エネルギより上回る分の電気エネルギ、言い換えれば剰余電気エネルギを駅舎内の設備である、駅舎用照明装置４６、券売機４８などに補助電源として供給するようにも構成されている。
【００１３】
本実施例によれば、強風にさらされ易いプラットホーム１２において、プラットホーム１２に対向しつつプラットホーム１２に沿って並べられる複数の看板２０により、プラットホーム１２上での風を弱めることができる。
そして、看板２０に当たった風は斜め上向きの傾斜面２００２や斜め下向きの傾斜面２００４により風力発電機３０に効率良く導かれてプロペラを回転させ、また、看板２０の上方領域、下方領域を通過する風も風力発電機３０のプロペラを回転させるので、風力発電機３０により風力を弱めることは無論こと、風力発電機３０により電気エネルギが生成され、電気エネルギが看板用照明装置４４、駅舎用照明装置４６、券売機４８などへ供給され、あるいは、蓄電池６０へ供給され蓄電される。
プラットホーム１２は車輌の種類により長さが異なって建設され、例えば、１００ｍ以上の長さとなる場合もあり、風力発電機３０により大きな電気エネルギが生成される。
また、プロペラ型の風力発電機３０では、プロペラの回転軌跡上において眺望が確保されているので、看板２０の上下の領域や側方の領域に多数のプロペラ型の風力発電機３０が配置されても閉塞感はなく、眺望が確保されていることから開放された雰囲気を醸し出すことができる。
また、プロペラ型の風力発電機３０を通過してプラットホーム１２に向う風は、整流板４０によりプラットホーム１２の上方空間に導かれ、また、プラットホーム１２に至った風は、整流板４２によりプラットホーム１２の上方空間に導かれるので、プラットホーム１２上の人に直接当たることはなく、プラットホーム１２上で利用者が滞在する空間の防風が図られ、プラットホーム上部での通風が確保される。すなわち、風エネルギから電気エネルギを生成しているにも拘わらず防風対策がより確実になされることになる。
また、看板２０の上縁が、プラットホーム１２の屋根１６よりも低くかつプラットホーム１２に立つ人の背の高さとほぼ同じかあるいは人の背の高さよりも大きい高さで形成されていると、例えば、プラットホーム１２上での飲食店からの臭気が、プロペラ型の風力発電機３０、整流板４０、４２などによりプラットホーム１２外に効率良く排出される。
【図面の簡単な説明】
【００１４】
【図１】プラットホーム部分の側面図である。
【図２】プラットホーム部分の正面図である。
【図３】風力発電機と制御装置などとの関係図である。
【符号の説明】
【００１５】
１０……駅舎、１２……プラットホーム、１４……軌道、２０……看板、３０……プロペラ型の風力発電機、５０……制御装置、６０……蓄電池。
【図１】
2005054718.tif 000003
【図２】
2005054718.tif 000004
【図３】
2005054718.tif 000005